(57)【要約】【課題】端子収容室に誤った端子金具を挿入することを抑制できる端子挿入治具、端子金具の誘導装置及び端子金具の挿入方法を提供する。【解決手段】端子金具の誘導装置としてのサブハーネス組立装置１は電線収容棚とコネクタ保持治具２１と切り換えスイッチ２５を備えている。電線収容棚は複数の電線収容筒と電線収容筒に対応したＬＥＤ３２を備えている。コネクタ保持治具２１は照射部３４を備えかつコネクタハウジング３を保持する。照射部３４は端子収容室４に対応した照明ユニットを備えている。照明ユニットは端子収容室４の開口部４ａを照らす。点灯したＬＥＤ３２に対応した電線収容筒から電線を取り出してＬＥＤ３２を押す。照明ユニットが端子金具を挿入すべき端子収容室４の開口部４ａを照らす。端子収容室４に端子金具を挿入して切り換えスイッチを押す。次の電線収容筒に対応するＬＥＤ３２が点灯する。【選択図】      図２
2004227857.tif 000002
【特許請求の範囲】
【請求項１】
コネクタハウジングの端子収容室に端子金具を挿入するための端子挿入治具において、
前記コネクタハウジングは、前記端子収容室を複数備えており、かつこれらの端子収容室はコネクタハウジングの外表面に開口した開口部を備えているとともに、
前記開口部を開放した状態で前記コネクタハウジングを保持する治具本体と、前記治具本体に保持されたコネクタハウジングの複数の端子収容室の開口部のうち一つの開口部を照らす照射手段と、
端子金具を端子収容室に挿入する順番に応じて、前記照射手段が照らす端子収容室の開口部を切り換える切り換え手段と、を備えたことを特徴とする端子挿入治具。
【請求項２】
前記コネクタハウジングは、前記端子収容室を一方向に沿って並べて構成される端子収容室列を複数備え、これらの端子収容室列は前記一方向に交差する他の方向に沿って重ねられているとともに、
前記照射手段と前記治具本体とを、前記治具本体に保持されたコネクタハウジングの端子収容室列が重ねられた他の方向に沿って、相対的に移動させる移動手段と、
前記移動手段によって相対的に移動された前記照射手段と前記治具本体との相対的な位置に基づいて、前記照射手段が端子収容室の開口部を照らすことを特徴とする請求項１記載の端子挿入治具。
【請求項３】
前記治具本体に着脱自在でかつ前記コネクタハウジングを保持する保持部材を備えたことを特徴とする請求項１または請求項２記載の端子挿入治具。
【請求項４】
端子金具が取り付けられた電線を収容する電線収容部を複数有する電線収容棚と、前記端子金具を収容する端子収容室を複数有するコネクタハウジングを保持するコネクタ保持治具と、を備え、コネクタハウジングの端子収容室に挿入する端子金具を順次示す端子金具の誘導装置において、
前記電線収容部とコネクタハウジングの端子収容室とが対応しており、
前記コネクタハウジングは、前記端子収容室が外表面に開口した開口部を備えているとともに、
前記コネクタ保持治具は、前記開口部を開放した状態で前記コネクタハウジングを保持する治具本体と、前記治具本体に保持されたコネクタハウジングの端子収容室の開口部のうち一つの開口部を照らす照射手段と、を備え、
前記電線収容棚は、コネクタハウジングの端子収容室に挿入する端子金具が取り付けられた電線を収容した電線収容部を表示する表示手段を備えており、
端子金具を端子収容室に挿入する順番に応じて、前記表示手段が表示する電線収容部と、前記照射手段が照らす端子収容室の開口部を切り換える切り換え手段を備えたことを特徴とする端子金具の誘導装置。
【請求項５】
前記コネクタハウジングは、前記端子収容室を一方向に沿って並べて構成される端子収容室列を複数備え、これらの端子収容室列は前記一方向に交差する他の方向に沿って重ねられているとともに、
前記コネクタ保持治具が、前記照射手段と前記治具本体とを、前記治具本体に保持されたコネクタハウジングの端子収容室列が重ねられた他の方向に沿って相対的に移動させる移動手段と、前記移動手段によって相対的に移動された前記照射手段と前記治具本体との相対的な位置に基づいて、前記照射手段が端子収容室の開口部を照らすことを特徴とする請求項４記載の端子金具の誘導装置。
【請求項６】
前記コネクタ保持治具が、前記治具本体に着脱自在でかつ前記コネクタハウジングを保持する保持部材を備えたことを特徴とする請求項４または請求項５記載の端子金具の誘導装置。
【請求項７】
前記表示手段が表示する電線収容部と、前記照射手段が照らす開口部とを、前記切り換え手段に入力する入力手段を備えたことを特徴とする請求項６記載の端子金具の誘導装置。
【請求項８】
コネクタハウジングの複数の端子収容室に順に端子金具を挿入する端子金具の挿入方法において、
前記コネクタハウジングの端子収容室の開口部のうち端子金具を挿入する開口部を順に照らして、この照らされた開口部を通して端子収容室に端子金具を挿入することを特徴とする端子金具の挿入方法。
【請求項９】
コネクタハウジングの複数の端子収容室に順に、電線が取り付けられて電線収容部に収容された端子金具を挿入する端子金具の挿入方法において、
前記電線収容部が複数設けられており、コネクタハウジングの端子収容室に挿入する端子金具が取り付けられた電線を収容した電線収容部を順に表示して、
表示された電線収容部から電線が取り付けられた一つの端子金具を取り出して、前記コネクタハウジングの端子収容室の開口部のうち前記一つの端子金具を挿入する開口部を照らしてこの照らされた開口部を通して端子収容室に端子金具を挿入することを特徴とする端子金具の挿入方法。
【発明の詳細な説明】
【０００１】
【発明の属する技術分野】
本発明は、コネクタハウジングの端子収容室に端子金具を挿入する際に用いられる端子挿入治具と、コネクタハウジングに挿入する端子金具を示す端子金具の誘導装置及びコネクタハウジングの端子収容室に端子金具を挿入する端子金具の挿入方法に関する。
【０００２】
【従来の技術】
移動体としての自動車などには、種々の電子機器が搭載される。このため、前記自動車などは、前記電子機器に電源などからの電力やコンピュータなどからの制御信号などを伝えるために、ワイヤハーネスを配索している。ワイヤハーネスは、複数の電線と、該電線の端部などに取り付けられたコネクタなどを備えている。
【０００３】
電線は、導電性の芯線と、該芯線を被覆する絶縁性の合成樹脂からなる被覆部とを備えている。電線は、所謂被覆電線である。コネクタは、導電性の端子金具と絶縁性のコネクタハウジングとを備えている。端子金具は、電線の端部などに取りつけられかつ該電線の芯線と電気的に接続する。コネクタハウジングは、箱状に形成されかつ端子金具を収容する端子収容室を複数備えている。
【０００４】
前記ワイヤハーネスを組み立てる際には、まず電線を所定の長さに切断した後、該電線の端部などに端子金具を取り付ける。必要に応じて電線同士を接続する。その後、端子金具をコネクタハウジングの所望の端子収容室内に挿入する。こうして、前述したワイヤハーネスを組み立てる。
【０００５】
一方、自動車には、ユーザなどから多種多様な要望がよせられている。このため、前記自動車は、より多種多様な電子機器を搭載することが望まれている。したがって、前記ワイヤハーネスを構成する電線は、増加する傾向である。電線が増加するため、ワイヤハーネスの重量が増加することが考えられる。この重量が増加を抑制するために、特に制御信号を伝送する電線をより細くすることが提案されている。電線を細くすると、端子金具の小型化を図ることができる。
【０００６】
【発明が解決しようとする課題】
前述したワイヤハーネスを組み立てる際に、端子収容室に誤った端子金具を挿入した際には、端子金具を抜き取って、再度正規の端子収容室に挿入してきた。電線が細くなって、端子金具の小型化が図られると、端子金具を端子収容室から抜き取ると、端子金具が破損する虞があった。端子金具が破損すると、勿論、再度端子収容室に挿入できなくなる。このため、端子金具を交換する必要が生じる。
【０００７】
このため、端子金具を端子収容室に挿入する際に用いられる治具では、種々の方法を用いて端子金具を挿入する端子収容室を示してきた。例えば、端子収容室の下部から上方に向かって光を照射して、作業員に端子金具を挿入する端子収容室を順次光らせてきた。この場合、前述した端子金具の小型化に伴って端子収容室が狭くなると、下部から照射した光が上部まで届かない虞があった。このため、端子金具を挿入する端子収容室を作業員に示すことが困難となる虞があった。
【０００８】
また、前述した端子収容室が狭くなると、端子収容室の下部から上方に向けて光を照射した際に、作業員が前述した端子収容室を通った光を視認しずらくなることが考えられる。このため、作業員が、端子金具を挿入する端子収容室を誤る虞があった。
【０００９】
したがって、本発明の目的は、コネクタハウジングの端子収容室に誤った端子金具を挿入することを抑制できる端子挿入治具、端子金具の誘導装置及び端子金具の挿入方法を提供することにある。
【００１０】
【課題を解決するための手段】
前記課題を解決し目的を達成するために、請求項１に記載の本発明の端子挿入治具は、コネクタハウジングの端子収容室に端子金具を挿入するための端子挿入治具において、前記コネクタハウジングは、前記端子収容室を複数備えており、かつこれらの端子収容室はコネクタハウジングの外表面に開口した開口部を備えているとともに、前記開口部を開放した状態で前記コネクタハウジングを保持する治具本体と、前記治具本体に保持されたコネクタハウジングの複数の端子収容室の開口部のうち一つの開口部を照らす照射手段と、端子金具を端子収容室に挿入する順番に応じて、前記照射手段が照らす端子収容室の開口部を切り換える切り換え手段と、を備えたことを特徴としている。
【００１１】
請求項２に記載の本発明の端子挿入治具は、請求項１記載の端子挿入治具において、前記コネクタハウジングは、前記端子収容室を一方向に沿って並べて構成される端子収容室列を複数備え、これらの端子収容室列は前記一方向に交差する他の方向に沿って重ねられているとともに、前記照射手段と前記治具本体とを、前記治具本体に保持されたコネクタハウジングの端子収容室列が重ねられた他の方向に沿って、相対的に移動させる移動手段と、前記移動手段によって相対的に移動された前記照射手段と前記治具本体との相対的な位置に基づいて、前記照射手段が端子収容室の開口部を照らすことを特徴としている。
【００１２】
請求項３に記載の本発明の端子挿入治具は、請求項１または請求項２記載の端子挿入治具において、前記治具本体に着脱自在でかつ前記コネクタハウジングを保持する保持部材を備えたことを特徴としている。
【００１３】
請求項４に記載の本発明の端子金具の誘導装置は、端子金具が取り付けられた電線を収容する電線収容部を複数有する電線収容棚と、前記端子金具を収容する端子収容室を複数有するコネクタハウジングを保持するコネクタ保持治具と、を備え、コネクタハウジングの端子収容室に挿入する端子金具を順次示す端子金具の誘導装置において、前記電線収容部とコネクタハウジングの端子収容室とが対応しており、前記コネクタハウジングは、前記端子収容室が外表面に開口した開口部を備えているとともに、前記コネクタ保持治具は、前記開口部を開放した状態で前記コネクタハウジングを保持する治具本体と、前記治具本体に保持されたコネクタハウジングの端子収容室の開口部のうち一つの開口部を照らす照射手段と、を備え、前記電線収容棚は、コネクタハウジングの端子収容室に挿入する端子金具が取り付けられた電線を収容した電線収容部を表示する表示手段を備えており、端子金具を端子収容室に挿入する順番に応じて、前記表示手段が表示する電線収容部と、前記照射手段が照らす端子収容室の開口部を切り換える切り換え手段を備えたことを特徴としている。
【００１４】
請求項５に記載の本発明の端子金具の誘導装置は、請求項４に記載の端子金具の誘導装置において、前記コネクタハウジングは、前記端子収容室を一方向に沿って並べて構成される端子収容室列を複数備え、これらの端子収容室列は前記一方向に交差する他の方向に沿って重ねられているとともに、前記コネクタ保持治具が、前記照射手段と前記治具本体とを、前記治具本体に保持されたコネクタハウジングの端子収容室列が重ねられた他の方向に沿って、相対的に移動させる移動手段と、前記移動手段によって相対的に移動された前記照射手段と前記治具本体との相対的な位置に基づいて、前記照射手段が端子収容室の開口部を照らすことを特徴としている。
【００１５】
請求項６に記載の本発明の端子金具の誘導装置は、請求項４または請求項５に記載の端子金具の誘導装置において、前記コネクタ保持治具が、前記治具本体に着脱自在でかつ前記コネクタハウジングを保持する保持部材を備えたことを特徴としている。
【００１６】
請求項７に記載の本発明の端子金具の誘導装置は、請求項６に記載の端子金具の誘導装置において、前記表示手段が表示する電線収容部と、前記照射手段が照らす開口部とを、前記切り換え手段に入力する入力手段を備えたことを特徴としている。
【００１７】
請求項８に記載の本発明の端子金具の挿入方法は、コネクタハウジングの複数の端子収容室に順に端子金具を挿入する端子金具の挿入方法において、前記コネクタハウジングの端子収容室の開口部のうち端子金具を挿入する開口部を順に照らして、この照らされた開口部を通して端子収容室に端子金具を挿入することを特徴としている。
【００１８】
請求項９に記載の本発明の端子金具の挿入方法は、コネクタハウジングの複数の端子収容室に順に、電線が取り付けられて電線収容部に収容された端子金具を挿入する端子金具の挿入方法において、前記電線収容部が複数設けられており、コネクタハウジングの端子収容室に挿入する端子金具が取り付けられた電線を収容した電線収容部を順に表示して、表示された電線収容部から電線が取り付けられた一つの端子金具を取り出して、前記コネクタハウジングの端子収容室の開口部のうち前記一つの端子金具を挿入する開口部を照らしてこの照らされた開口部を通して端子収容室に端子金具を挿入することを特徴としている。
【００１９】
請求項１に記載した本発明の端子挿入治具によれば、照射手段が端子収容室の開口部を照らす。このため、端子収容室が狭くなっても、作業員が照射手段により照らされた開口部を確実に視認できる。
【００２０】
また、切り換え手段が端子金具を端子収容室に挿入する順番に応じて、照射手段が照らす開口部を切り換える。このため、開口部が照らされた端子収容室に順に端子金具を挿入していくことにより、誤りなく端子収容室に端子金具を挿入できる。
【００２１】
請求項２に記載した本発明の端子挿入治具によれば、移動手段により相対的に移動された照射手段と治具本体との相対的な位置に基づいて、照射手段が端子収容室の開口部を照らす。このため、開口部が照らされた端子収容室に順に端子金具を挿入していくことにより、端子収容室列を複数備えたコネクタハウジングにも誤りなく端子収容室に端子金具を確実に挿入できる。
【００２２】
請求項３に記載した本発明の端子挿入治具によれば、コネクタハウジングを保持する保持部材が治具本体に着脱自在である。このため、コネクタハウジングを保持する保持部材を複数用意して、これらの保持部材から任意の保持部材を選択して、治具本体に取り付けることができる。
【００２３】
請求項４に記載した本発明の端子金具の誘導装置によれば、照射手段が端子収容室の開口部を照らす。このため、端子収容室が狭くなっても、作業員が照射手段により照らされた開口部を確実に視認できる。
【００２４】
また、切り換え手段が、端子金具を端子収容室に挿入する順番に応じて、表示手段が表示する電線収容部と、照射手段が照らす開口部とを切り換える。このため、表示手段により表示された電線収容部に収容された電線を取り付けた端子金具を、開口部が照らされた端子収容室に順に挿入していくことにより、誤りなく所望の端子収容室に所望の端子金具を挿入できる。
【００２５】
請求項５に記載した本発明の端子金具の誘導装置によれば、移動手段により相対的に移動された照射手段と治具本体との相対的な位置に基づいて、照射手段が端子収容室の開口部を照らす。このため、表示手段により表示された電線収容部に収容された電線を取り付けた端子金具を、開口部が照らされた端子収容室に順に挿入していくことにより、端子収容室列を複数備えたコネクタハウジングにも誤りなく端子収容室に端子金具を確実に挿入できる。
【００２６】
請求項６に記載した本発明の端子金具の誘導装置によれば、コネクタハウジングを保持する保持部材が治具本体に着脱自在である。このため、コネクタハウジングを保持する保持部材を複数用意して、これらの保持部材から任意の保持部材を選択して、治具本体に取り付けることができる。
【００２７】
請求項７に記載した本発明の端子金具の誘導装置によれば、入力手段により、切り換え手段に表示手段が表示する電線収容部と、照射手段が照らす開口部とを入力する。このため、入力手段が入力する電線収容部と開口部を変更することにより、容易に複数の品番のコネクタハウジングの端子収容室に所望の端子金具を確実に挿入できる。
【００２８】
請求項８に記載した本発明の端子金具の挿入方法によれば、端子収容室の開口部を照らして、端子金具を挿入する端子収容室を順に表示する。このため、端子収容室が狭くなっても、作業員が、照らされた開口部を確実に視認できる。したがって、開口部が照らされた端子収容室に順に端子金具を挿入していくことにより、誤りなく端子収容室に端子金具を挿入できる。
【００２９】
請求項９に記載した本発明の端子金具の挿入方法によれば、端子収容室の開口部を照らして、端子金具を挿入する端子収容室を順に表示する。このため、端子収容室が狭くなっても、作業員が、照らされた開口部を確実に視認できる。
【００３０】
また、端子金具を端子収容室に挿入する順番に応じて、表示される電線収容部と、照らされる開口部とを切り換える。このため、表示された電線収容部に収容された電線を取り付けた端子金具を、開口部が照らされた端子収容室に順に挿入していくことにより、誤りなく所望の端子収容室に所望の端子金具を挿入できる。
【００３１】
【発明の実施の形態】
以下、本発明の一実施形態にかかる端子金具の誘導装置としてのサブハーネス組立装置を、図１ないし図１６を参照して説明する。サブハーネス組立装置１は、自動車などに配索されるワイヤハーネスを組み立てる際に、図４などに示す端子金具２を、図３などに示すコネクタハウジング３の端子収容室４内に挿入して、サブハーネスを組立る装置である。さらに、サブハーネスを複数組み付けて前述したワイヤハーネスを組み立てる。
【００３２】
端子金具２は、図４に示すように、板金を折り曲げるなどして得られ、電線接続部５と電気接触部６とを一体に備えている。電線接続部５は、複数のかしめ片７を備えている。電線接続部５は、かしめ片７で電線９を加締めることにより、電線９の芯線１０と電気的に接続される。電気接触部６は、電線接続部５に連なっているとともに筒状に形成されている。
【００３３】
電気接触部６の内側には、ばね片設けられている。ばね片は、電気接触部６内に挿入された相手側の端子金具（図示せず）のタブなどを電気接触部６の内面に向かって付勢する。ばね片は、電気接触部６の内面との間にタブを挟む。電気接触部６は、ばね片が相手側の端子金具のタブを内面に向かって付勢することにより、前記相手側の端子金具と電気的に接続される。
【００３４】
前記端子金具２に取り付けられる電線９は、導電性の芯線１０と、この芯線１０を被覆する絶縁性の被覆部１１とを備えている。電線９は、所謂被覆電線である。
【００３５】
コネクタハウジング３は、絶縁性の合成樹脂かからなり、箱状に形成されている。コネクタハウジング３は、図３などに示すように、複数の端子収容室４を備えている。これら複数の端子収容室４は、複数の壁１２により互いに区画されており、コネクタハウジング３の外表面３ａに開口した開口部４ａを備えている。複数の端子収容室４の長手方向は、互いに平行である。端子収容室４は、端子金具２を収容する。複数の端子収容室４のうち一部（複数）の端子収容室４は、図３中の矢印Ｍに沿って互いに並べられている。なお、この矢印Ｍは、本明細書に記した一方向をなしている。また、前述した矢印Ｍに沿って並べられた複数の端子収容室４は、端子収容室列１３を構成している。
【００３６】
さらに、コネクタハウジング３は、端子収容室列１３を複数備えている。図示例では、端子収容室列１３は二つ設けられている。これらの端子収容室列１３は、前記矢印Ｍに直交（交差）する矢印Ｎに沿って、互いに重ねられている。なお、前記矢印Ｎは、本明細書に記した他の方向をなしている。なお、以下、これら３つの端子収容室列１３のうち図３中の下方から順に、第１の端子収容室列１３ａ、第２の端子収容室列１３ｂと呼ぶ。
【００３７】
前述した端子金具２と、電線９と、コネクタハウジング３とでサブハーネスを組み立てる際には、まず、電線９の端部などから被覆部１１を除去する。この端部をかしめ片７でかしめて、電線９に端子金具２を取り付ける。端子金具２を所望の端子収容室４内に挿入する。その後、電線９に周知のグロメットやチューブなどの外装品を取り付けて、サブハーネスを組み立てる。
【００３８】
サブハーネス組立装置１は、図１に示すように、電線収容棚２０と、コネクタ保持治具２１と、インターフェースボックス２２と、表示部切り換え装置２３と、入力手段としてのコントロールボックス２４と、切り換えスイッチ２５と、を備えている。サブハーネス組立装置１は、作業員に対して、端子収容室４に挿入すべき端子金具２を順に示すとともに、この端子金具２を挿入すべき端子収容室４を示して、作業員が誤り無く端子収容室４に端子金具２を挿入できるようにする装置である。
【００３９】
電線収容棚２０は、工場のフロア上などに設置される棚本体２６と、この棚本体２６に取り付けられた複数の電線収容筒２７と、作業台２８と、表示部２９とを備えている。棚本体２６は、複数の棒状部材を連結してトラス状になっている。電線収容筒２７は、それぞれ、少なくとも一端部が開口した筒状に形成されている。電線収容筒２７は、端子金具２を取り付けた電線９を収容する。
【００４０】
電線収容筒２７は、互いに平行な状態で、棚本体２６の上部に取り付けられている。また、電線収容筒２７の一端部は、作業台２８の上方に位置している。さらに、電線収容筒２７は、第１の段２７ａと、この第１の段２７ａの下方に配された第２の段２７ｂとの上下２段となる格好で、前記棚本体２６に取り付けられている。それぞれの段２７ａ，２７ｂでは、複数の電線収容筒２７が水平方向に沿って並べられている。なお、前述した電線収容筒２７は、本明細書に記した電線収容部をなしている。
【００４１】
作業台２８は、平板状に形成されかつ棚本体２６に取り付けられている。作業台２８は、棚本体２６の鉛直方向の中央部に取り付けられている。作業台２８は、平面形状が矩形状に形成されているとともに、長手方向が棚本体２６の幅方向に沿っている。また、棚本体２６には、複数の部品収容箱３０が取り付けられている。部品収容箱３０は、上部が開口した箱状に形成されている。部品収容箱３０は、作業台２８の上方に配されている。
【００４２】
表示部２９は、図示例では、一対設けられている。それぞれの表示部２９は、棚本体２６に取り付けられる表示部本体３１と、この表示部本体３１に取り付けられた表示手段としてのＬＥＤ（Ｌｉｇｈｔ  Ｅｍｉｔｔｉｎｇ  Ｄｉｏｄｅ）３２とを備えている。表示部本体３１は、各段２７ａ，２７ｂの電線収容筒２７の一端部の上方に配されている。
【００４３】
ＬＥＤ３２は、表示本体３１に複数設けられている。ＬＥＤ３２は、電線収容筒２７と１対１で対応している。ＬＥＤ３２と対応する電線収容筒２７は、該ＬＥＤ３２の下方に配されている。また、ＬＥＤ３２は押圧式のスイッチなどによって表示部本体３１に取り付けられている。このため、ＬＥＤ３２は、表示部本体３１から突没自在となっている。ＬＥＤ３２は、点灯した後、表示部本体３１に没する方向に押されると消灯する。
【００４４】
また、前述した電線収容棚２０の各電線収容筒２７は、コネクタハウジング３の端子収容室４と１対１で対応している。このため、電線収容筒２７が収容する電線９が取り付けられた端子金具２は、前記電線収容筒２７に対応する端子収容室４内に収容される。このため、電線収容筒２７に収容された電線９が取り付けられた端子金具２は、予め定められる端子収容室４内に収容される。
【００４５】
コネクタ保持治具２１は、図１に示すように、作業台２８に取り付けられる。コネクタ保持治具２１は、図２ないし図４に示すように、治具本体３３と、照射部３４と、移動手段としてのレバー３５と、を備えている。治具本体３３は、フレーム３６と、コネクタ保持部材３７と、を備えている。
【００４６】
フレーム３６は、厚手の板金を折り曲げるなどして形成されている。フレーム３６は、図５ないし図７、図１０ないし図１３に示すように、平坦な底部３８と、互いに平行な一対の平行部３９（図中に一方のみ示す）と、これらの平行部３９を互いに連結する連結部４０とを備えている。一対の平行部３９は、底部３８の幅方向の両縁から立設している。連結部４０は、底部３９の一端部から立設している。一対の平行部３９と連結部４０とで、フレーム３６は、上方からみてコ字形に形成されている。また、フレーム３６には、前記底部３８の他端部に立設片４１を取り付けている。立設片４１は、底部３８から一対の平行部３９と連結部４０と同方向に立設している。
【００４７】
コネクタ保持部材３７は、立方体または直方体状に形成されており、前記フレーム３６に固定されている。コネクタ保持部材３７は、一対の平行部３９間に配されかつ連結部４０に取り付けられている。
【００４８】
治具本体３３は、前記連結部４０とコネクタ保持部材３７との双方を切り欠いた凹部４２を備えている。凹部４２は、前記連結部４０を貫通しているとともに、前記コネクタ保持部材３７の上面３７ａから凹に形成されている。凹部４２には、保持部材４３が着脱自在である。保持部材４３の外形は、前記凹部４２に沿っている。保持部材４３は、図３中の矢印Ｎ１に沿って、凹部４２内に侵入する。保持部材４３は、コネクタ保持部材３７に取り付けられると、その上面４３ａが前記上面３７ａと略同一平面上に位置する。
【００４９】
また、保持部材４３には、凹部４４が設けられている。凹部４４は、保持部材４３の上面４３ａから凹である。凹部４４は、コネクタハウジング３の外形に沿って形成されている。凹部４４は、保持部材４３の上面４３ａと外表面３ａとが平行となる状態で、内側にコネクタハウジング３を収容する。図示例では、凹部４４内にコネクタハウジング３を収容すると、前記上面４３ａと外表面３ａとは、同一平面上に位置する（面一になる）。即ち、上面３７ａ，４３ａと外表面３ａとは、同一平面上に位置する（面一になる）。こうして、治具本体３３は、凹部４４にコネクタハウジング３を収容した保持部材４３をコネクタ保持部材３７に取り付けて、端子収容室４の開口部４ａを開放した状態で前記コネクタハウジング３を保持する。
【００５０】
照射部３４は、照射部本体４５と、指示部材４６と、照射手段としての照射ユニット４７（図５ないし図７に示す）と、を備えている。照射部本体４５は、前記立設片４１などを介してフレーム３６に取り付けられたスライド棒４８（図５ないし図７に示す）により、前述した矢印Ｎに沿ってスライド自在に支持される。スライド棒４８の長手方向は、底部３８の表面と平行である。このため、照射部本体４５即ち照射部３４は、スライド棒４８の長手方向に沿ってスライドすることで、コネクタ保持部材３７に近づいたり離れる。即ち、照射部３４は、コネクタ保持部材３７に接離する。照射部３４とコネクタ保持部材３７即ち治具本体３３とは、矢印Ｎに沿って、相対的に移動する。
【００５１】
照射部３４は、前述したようにスライドすることで、図５に示す開放位置と、図６に示す第１の位置と、図７に示す第２の位置とに位置付けられる。図示例では、照射部３４は、開放位置と第１の位置と第２の位置に順に位置付けられる。または、照射部３４は、第２の位置と第１の位置と開放位置に順に位置付けられる。
【００５２】
開放位置では、コネクタ保持部材３７に取り付けられた保持部材４３からコネクタハウジング３が着脱自在となる。第１の位置では、図９に示すように、コネクタハウジング３の第１の端子収容室列１３ａと第２の端子収容室列１３ｂとの双方の端子収容室４が開放される。また、第１の位置では、指示部材４６の縁が第２の端子収容室列１３ｂの端子収容室４の開口部４ａの縁に位置する。
【００５３】
第２の位置では、図８に示すように、コネクタハウジング３の第１の端子収容室列１３ａの端子収容室４が開放され、かつ第２の端子収容室列１３ｂの端子収容室４が指示部材４６により塞がれる。また、第２の位置では、指示部材４６の縁が第１の端子収容室列１３ａの端子収容室４の開口部４ａの縁に位置する。
【００５４】
また、照射部本体４５は、図示しないコイルばねなどに付勢手段によりコネクタ保持部材３７から離れる方向に付勢されている。さらに、照射部３４は、突起４９を備えている。突起４９は、平行部３９と平行でかつレバー３５寄りの照射部本体４５の外面から突出している。
【００５５】
指示部材４６は、板状に形成されかつ照射部本体４５に取り付けられている。指示部材４６は、平面形状が矩形状に形成されている。指示部材４６は、断面形状がくさび状に形成されている。指示部材４６は、照射部本体４５からコネクタ保持部材３７に近づくのにしたがって徐々に薄くなる状態で、照射部本体４５に取り付けられている。また、指示部材４６のコネクタ保持部材３７の上面３７ａと相対する表面は、コネクタ保持部材３７の上面３７ａと平行である。前記表面は、コネクタ保持部材３７の上面３７ａに重ねられる。
【００５６】
照射ユニット４７は、保持部材４３を介してコネクタ保持部材３７に取り付けられるコネクタハウジング３の各端子収容室列１３ａ，１３ｂの端子収容室４と、１体１で対応している。各照射ユニット４７は、前記指示部材４６を貫通した孔５０と、光源としてのＬＥＤ（Ｌｉｇｈｔ  Ｅｍｉｔｔｉｎｇ  Ｄｉｏｄｅ）５１とを備えている。孔５０は、照射部本体４５寄りの縁からコネクタ保持部材３７寄りの縁に亘って、指示部材４６を貫通している。
【００５７】
孔５０は、照射部本体４５から離れるのにしたがって即ちコネクタ保持部材３７に近づくのにしたがって、徐々に上面３７ａに近づく方向に傾斜している。ＬＥＤ５１は、孔５０の照射部本体４７寄りの端部に配されている。ＬＥＤ５１は、孔５０内に収容されている。ＬＥＤ５１は発光すると、孔５０を通して、第１の位置と第２の位置に位置付けられたコネクタハウジング３の端子収容室４の開口部４ａを照らす。
【００５８】
レバー３５は、フレーム３６の一方の平行部３９に回転自在に支持されている。レバー３５は、回転することで、前記突起４９と接触する開放カム面５２と、第１のカム面５３と、第２のカム面５４と、連結面５５とを備えている。これらの開放カム面５２と第１のカム面５３と第２のカム面５４と連結面５５は、前記レバー３５を回転することで、前記突起４９と接触する。前記レバー３５を回転すると、開放カム面５２と第１のカム面５３と連結面５５と第２のカム面５４との順で、突起４９と接触する。
【００５９】
レバー３５は、開放カム面５２が突起４９と接触すると、照射部３４を図３ないし図５、図１３に示す開放位置に位置付ける。レバー３５は、第１のカム面５３が突起４９と接触すると、照射部３４を図６、図１１及び図１２に示す第１の位置に位置付ける。レバー３５は、第２のカム面５４が突起４９と接触すると、照射部３４を図７及び図１０に示す第２の位置に位置付ける。こうして、レバー３５を回転することで、照射部３４を図４中の矢印Ｎに沿ってコネクタ保持部材３７に対して相対的に移動する。
【００６０】
また、コネクタ保持治具２１は、図１２及び図１３に示す第１のポジションセンサ６１と、図１０及び図１１に示す第２のポジションセンサ６２とを備えている。第１のポジションセンサ６１は、図１２及び図１３に示すように、スイッチ本体６３と、接触子６４と、接触棒６５とを備えている。スイッチ本体６３は、照射部本体４５に取り付けられている。
【００６１】
接触子６４は、スイッチ本体６３に接離自在にこのスイッチ本体６３に支持されている。接触子６４は、スイッチ本体６３から離れる方向に付勢されている。接触棒６５は、照射部本体４５に前述した矢印Ｎに沿ってスライド自在に支持されている。接触棒６５の一端は接触子６４と接触し、他端は照射部本体４５から立設片４１に向かって突出している。接触棒６５は、図示しないコイルばねなどにより他端が照射部本体４５から突出する方向に付勢されている。
【００６２】
前述した構成の第１のポジションセンサ６１は、図１３に示すように、開放位置で接触棒６５の他端に取付片４１が接触して、接触棒６５の一端が接触子６４をスイッチ本体６３に向かって押す。すると、第１のポジションセンサ６１は、前記開放位置で、スイッチ本体６３がオンにされて、このオンにされた情報をコントロールボックス２４に向かって出力する。第１のポジションセンサ６１は、前述した第１の位置と第２の位置との双方に亘って、接触棒６５の他端などに取付片４１が接触しない。そして、第１のポジションセンサ６１は、前述した第１の位置と第２の位置との双方に亘って、接触子６４がスイッチ本体６３に接触せずに、オフの状態に保たれる。
【００６３】
第２のポジションセンサ６２は、図１０及び図１１に示すように、スイッチ本体６６と、接触子６７と、接触棒６８とを備えている。スイッチ本体６６は、照射部本体４５に取り付けられている。接触子６７は、スイッチ本体６６に接離自在にこのスイッチ本体６６に支持されている。接触子６７は、スイッチ本体６６から離れる方向に付勢されている。接触棒６８は、照射部本体４５に前述した矢印Ｎに沿ってスライド自在に支持されている。接触棒６８の一端は接触子６７と接触し、他端は照射部本体４５からコネクタ保持部材３７に向かって突出している。接触棒６８は、図示しないコイルばねなどにより他端が照射部本体４５から突出する方向に付勢されている。
【００６４】
前述した構成の第２のポジションセンサ６２は、図１０に示すように、第２の位置で接触棒６８の他端にコネクタ保持部材３７が接触して、接触棒６８の一端が接触子６７をスイッチ本体６６に向かって押す。すると、第２のポジションセンサ６２は、前記第２の位置で、スイッチ本体６６がオンにされて、このオンにされた情報をコントロールボックス２４に向かって出力する。第２のポジションセンサ６２は、前述した第１の位置と開放位置との双方に亘って、接触棒６５の他端などにコネクタ保持治具３７が接触しない。そして、第２のポジションセンサ６２は、前述した第１の位置と開放位置との双方に亘って、接触子６７がスイッチ本体６６に接触せずに、オフの状態に保たれる。
【００６５】
インタフェースボックス２２は、電線収容棚２０の各ＬＥＤ３２と電気的に接続している。インタフェースボックス２２は、表示部切り換え装置２３からの命令に基づいて、各ＬＥＤ３２を点灯する。表示部切り換え装置２３は、インタフェースボックス２２に接続している。表示部切り換え装置２３には、ＬＥＤ３２のうちコネクタ保持治具２１に取り付けたコネクタハウジング３の端子収容室４に挿入する端子金具２を収容した電線収容筒２７に対応したＬＥＤ３２に関する情報が、コントロールボックス２４から入力する。表示部切り換え装置２３は、前記コネクタハウジング３の端子収容室４に挿入する端子金具２を収容した電線収容筒２７に対応したＬＥＤ３２のうち一つのＬＥＤ３２に関する情報をインタフェースボックス２２に順に向かって出力する。
【００６６】
コントロールボックス２４は、前述した電線収容棚２０と、コネクタ保持治具２１などと接続しており、これらの動作を制御して、サブハーネス組立装置１全体の制御をつかさどる。コントロールボックス２４は、図１４に示すように、入力部としての複数のスイッチ６９を備えている。スイッチ６９は、それぞれ、オン・オフが切り換え可能となっており、ＬＥＤ３２と１対１で対応している。
【００６７】
コントロールボックス２４は、オンとされたスイッチ６９に対応したＬＥＤ３２に関する情報を、表示部切り換え装置２３に向かって出力する。また、コントロールボックス２４には、コネクタ保持治具２１の第１のポジションセンサ６１と第２のポジションセンサ６２とが接続している。
【００６８】
また、コントロールボックス２４は、前記ポジションセンサ６１，６２からの情報に基づいて、前記照射部３４の位置を判定する。コントロールボックス２４は、前記照射部３４の位置に基づいて、オンとされたスイッチ６９に対応したＬＥＤ３２即ち端子収容室４に対応した照射ユニット４７に関する情報をコネクタ保持治具２１に向かって出力する。
【００６９】
また、コントロールボックス２４は、図１４に示すように、電源スイッチ７０と、スタートスイッチ７１と、完了スイッチ７２とを備えている。電源スイッチ７０をオンにすることにより、サブハーネス組立装置１全体が駆動状態となる。電源スイッチ７０をオンにすると、一旦すべてのＬＥＤ３２が点灯する。スタートスイッチ７１は、オンにされることにより、前記スイッチ６９のうちオンにされたスイッチ６９に対応したＬＥＤ３２に関する情報を、表示部切り換え装置２３に向かって出力する。完了スイッチ７２は、コネクタハウジング３の所望の端子収容室４全てに端子金具２を収容した後、オンにされることにより、作業が終了したことを示す。
【００７０】
また、コントロールボックス２４には、切り換えスイッチ２５が接続している。コントロールボックス２４は、切り換えスイッチ２５が押されると、次にコネクタハウジング３の端子収容室４に挿入する端子金具２を取り付けた電線９を収容した電線収容筒２７に対応したＬＥＤ３２を点灯する。なお、前述した切り換えスイッチ２５と、コネクタ保持治具２１とで本明細書に記した端子挿入治具１００を構成している。さらに、表示部切り換え装置２３と、切り換えスイッチ２５は、本明細書に記した切り換え手段をなしている。
【００７１】
前述した構成のサブハーネス組立装置１を用いて、サブハーネスを組み立てる際即ちコネクタハウジング３の端子収容室４に端子金具２を挿入する際には、以下のように行う。まず、電線収容棚２０の各電線収容筒２７に端子金具２が取り付けられた電線９を収容する。部品収容箱３０にコネクタハウジング３を収容する。このとき、各電線収容筒２７とコネクタハウジング３の端子収容室４とは、１対１で対応している。即ち、ある電線収容筒２７に収容された電線９に取り付けられた端子金具２は、常に同じ端子収容室４に挿入される。
【００７２】
保持部材４３をコネクタ保持治具２１のコネクタ保持部材３７に取り付ける。このとき、レバー３５は開放位置となっている。その後、コントロールボックス２４の複数のスイッチ６９のうち対応する端子収容室４に端子金具２を挿入するスイッチ６９をオンにし、対応する端子収容室４に端子金具２を挿入しないスイッチ６９をオフにする。こうして、コントロールボックス２４は、ＬＥＤ３２が表示する電線収容筒２０と照射ユニット４７が照らす開口部４ａを表示部切り換え装置２３に入力する。電線スイッチ７０をオンにする。スタートスイッチ７１をオンにする。
【００７３】
部品収容箱３０からコネクタハウジング３を取り出して、このコネクタハウジング３を保持治具４３に取り付ける。このとき、コネクタ保持部材３７の上面３７ａと、保持部材４３の上面４３ａと、コネクタハウジング３の外表面３ａとが同一平面上に位置している。レバー３５を回転して、図７及び図１０に示すように、照射部３４を前述した第２の位置に位置付ける。
【００７４】
すると、第２のポジションセンサ６２の接触棒６８がコネクタ保持部材３７から押されて、接触子６７とスイッチ本体６６とが接触する。第１のポジションセンサ６１の接触棒６５は取付片４１に接触せずに、スイッチ本体６３がオフに保たれている。第２のポジションセンサ６２のスイッチ本体６６がオンであり、第１のポジションセンサ６１のスイッチ本体６３がオフであることを示す情報がコントロールボックス２４に入力する。
【００７５】
すると、コントロールボックス２４は、第１の端子収容室列１３ａの端子収容室４のなかで端子金具２を収容する端子収容室４を一つ抽出する。そして、図１５に示すように、この端子収容室４内に挿入されるべき端子金具２を取り付けた電線９を収容した電線収容筒２７に対応するＬＥＤ３２を点灯する。こうして、ＬＥＤ３２は、点灯することによりコネクタハウジング３の端子収容室４に挿入する端子金具２が取り付けられた電線９を収容した電線収容筒２７を表示する。なお、図１５に示す例では、上段でかつ左端のＬＥＤ３２が、図中に平行斜線で示すように点灯している。
【００７６】
すると、作業員が、対応するＬＥＤ３２が点灯した電線収容筒２７から電線９を取り出す。そして、作業員が、点灯しているＬＥＤ３２を表示部本体３１に向かって押す。すると、ＬＥＤ３２が消灯するとともに、電線収容筒２７から取り出された電線９に取り付けられた端子金具２を挿入する端子収容室４に対応する照明ユニット４７のＬＥＤ５１が発光する。すると、このＬＥＤ５１は、図１６に示すように、前記孔５０を通して端子収容室４の開口部４ａを照らす。なお、図１６に示す例では、第１の端子収容室列１３ａの左端の端子収容室４の開口部４ａを、図中の平行斜線で示すように照らしている。
【００７７】
その後、作業員は、開口部４ａが照らされた端子収容室４内に端子金具２を挿入する。一つの端子収容室４に端子金具２を挿入した後、作業員が切り換えスイッチ２５を押す。すると、前述した照明ユニット４７のＬＥＤ５１が消灯するとともに、表示部２９の別のＬＥＤ３２が点灯する。この点灯したＬＥＤ３２は、勿論、第１の端子収容室列１３ａの端子金具２を挿入する端子収容室４のうち一つに対応している。
【００７８】
そして、前述したように、電線収容筒２７から電線９を取り出して、ＬＥＤ３２を押す。すると、電線収容筒２７に収容された電線９が取り付けられた端子金具２が挿入されるべき端子収容室４に対応する照明ユニット４７のＬＥＤ５１が発光する。この照明ユニット４７のＬＥＤ５１は、開口部４ａを照らす。この開口部４ａが照らされた端子収容室４に前記端子金具２を挿入する。こうして、切り換えスイッチ２５と表示部切り換え装置２３が端子金具２を端子収容室４に挿入する順番に応じて、発光する表示部２９のＬＥＤ３２を切り換えるとともに、照射ユニット４７のＬＥＤ５１が照らす開口部４ａを切り換える。即ち、切り換えスイッチ２５と表示部切り換え装置２３が端子金具２を端子収容室４に挿入する順番に応じて、発光する表示部２９のＬＥＤ３２が表示する電線収容筒２７と、照射ユニット４７のＬＥＤ５１が照らす開口部４ａを切り換える。
【００７９】
第１の端子収容室列１３ａの端子収容室４のうち端子金具２を挿入する端子収容室４全てに端子金具２を挿入した後、レバー３５を回転して、図６に示すように、照射部３４を前述した第１の位置に位置付ける。すると、図１１に示すように、第２のポジションセンサ６２の接触棒６８がコネクタ保持部材３７に接触せずに、スイッチ本体６６がオフに保たれる。図１１に示すように、第１のポジションセンサ６１の接触棒６５は取付片４１に接触せずに、スイッチ本体６３がオフに保たれる。第１のポジションセンサ６１と第２のポジションセンサ６２の双方のスイッチ本体６３，６６がオフであることを示す情報がコントロールボックス２４に入力する。
【００８０】
すると、コントロールボックス２４は、第２の端子収容室列１３ｂの端子収容室４のなかで端子金具２を収容する端子収容室４を一つ抽出する。前述した第１の端子収容室列１３ａを同様に、表示部２９のＬＥＤ３２が発光して電線９を取り出した後、照明ユニット４７のＬＥＤ５１が第２の端子収容室列１３ｂの端子収容室４の開口部４ａを照らす。
【００８１】
第２の端子収容室列１３ｂの所望の端子収容室４に所望の端子金具２を挿入する。こうして、照明ユニット４７は、前記レバー３５の位置即ち照明部３４とコネクタ保持部材３７即ち治具本体３３との相対的な位置に基づいて、端子収容室４の開口部４ａを照らす。端子金具２を挿入する全ての端子収容室４に端子金具２を挿入した後、完了スイッチ７２を押す。そして、レバー３５を開放位置に位置付ける。すると、図１３に示すように、第１のポジションセンサ６１の接触子６４とスイッチ本体６６とが接触する。そして、第１のポジションセンサ６１のスイッチ本体６６がオンされたことを示す情報がコントロールボックス２４に入力する。
【００８２】
そして、作業員が、保持部材４３からコネクタハウジング３を取り外す。そして、再度、別のコネクタハウジング３を部品収容箱３０から取り出して、保持部材４３に取り付ける。前述した工程と同様に、所望の端子収容室４に端子金具２を挿入する。また、コネクタハウジング３の品番などが変更した場合には、保持部材４３をコネクタ保持部材３７から取り外して、変更後のコネクタハウジング３に対応した保持部材４３をコネクタ保持部材３７に取り付ける。
【００８３】
本実施形態によれば、照射ユニット４７のＬＥＤ５１が端子収容室４の開口部４ａを照らすので、端子収容室４が狭くなっても、作業員が照射ユニット４７のＬＥＤ５１により照らされた開口部４ａを確実に視認できる。即ち、作業員が、端子金具２を挿入すべき端子収容室４を認識できる。
【００８４】
また、切り換えスイッチ２５が端子金具２を端子収容室４に挿入する順番に応じて、表示部２９のＬＥＤ３２が発光する電線収容筒２７と、照射ユニット４７のＬＥＤ５１が照らす開口部４ａを切り換える。また、照射部３４とコネクタ保持部材３７即ち治具本体３３との相対的な位置に基づいて、照射ユニット４７のＬＥＤ５１が端子収容室４の開口部４ａを照らす。このため、開口部４ａが照らされた端子収容室４に順に端子金具２を挿入することにより、誤りなく端子収容室４に端子金具２を挿入できる。したがって、コネクタハウジング３の端子収容室４に誤った端子金具２を挿入することを抑制できる。
【００８５】
コネクタハウジング３を保持する保持部材４３が、コネクタ保持部材３７即ち治具本体３３に着脱自在である。このため、コネクタハウジング３を保持する保持部材４３を複数用意して、これらの保持部材４３から任意の保持部材４３を選択して、治具本体３３に取り付けることができる。したがって、コネクタハウジング３の品番が変更されても、該コネクタハウジング３の端子収容室４に誤った端子金具２を挿入することを抑制できる。
【００８６】
コントロールボックス２４が、表示部切り換え装置２３に表示部２９のＬＥＤ３２が点灯する電線収容筒２７と、照射ユニット４７のＬＥＤ５１が照らす開口部４ａとを入力する。このため、スイッチ６９のオン・オフを切り換えて、コントロールボックス２４が入力する電線収容筒２７と開口部４ａを変更することにより、容易に複数の品番のコネクタハウジング３の端子収容室４に所望の端子金具２を確実に挿入できる。したがって、コネクタハウジング３の品番が変更されても、該コネクタハウジング３の端子収容室４に誤った端子金具２を挿入することを抑制できる。
【００８７】
また、前述した実施形態では、コネクタハウジング３が端子収容室列１３ａ，１３ｂを二つ備えている。しかしながら、本発明では、コネクタハウジング３が端子収容室列を三つ備えても良い。このとき、レバー３５のカム面５３，５４の形状を適宜変更するのが望ましい。
【００８８】
さらに、前述した実施形態では、スイッチ６９のオン・オフを切り換えて、ＬＥＤ３２，５１の発光状態を制御している。しかしながら、本発明では、スイッチ６９に限ることなく、演算装置（コンピュータ）などを用いてＬＥＤ３２，５１の発光状態を制御しても良い。
【００８９】
【発明の効果】
以上説明したように請求項１に記載の本発明によれば、照射手段が端子収容室の開口部を照らすので、端子収容室が狭くなっても、作業員が照射手段により照らされた開口部を確実に視認できる。即ち、作業員が、端子金具を挿入すべき端子収容室を認識できる。
【００９０】
また、切り換え手段が端子金具を端子収容室に挿入する順番に応じて、照射手段が照らす開口部を切り換える。このため、開口部が照らされた端子収容室に順に端子金具を挿入していくことにより、誤りなく端子収容室に端子金具を挿入できる。したがって、コネクタハウジングの端子収容室に誤った端子金具を挿入することを抑制できる。
【００９１】
請求項２に記載の本発明によれば、照射手段と治具本体との相対的な位置に基づいて、照射手段が端子収容室の開口部を照らす。このため、開口部が照らされた端子収容室に順に端子金具を挿入していくことにより、端子収容室列を複数備えたコネクタハウジングにも誤りなく端子収容室に端子金具を確実に挿入できる。したがって、コネクタハウジングの端子収容室に誤った端子金具を挿入することを抑制できる。
【００９２】
請求項３に記載の本発明によれば、コネクタハウジングを保持する保持部材が治具本体に着脱自在である。このため、コネクタハウジングを保持する保持部材を複数用意して、これらの保持部材から任意の保持部材を選択して、治具本体に取り付けることができる。したがって、コネクタハウジングの品番が変更されても、該コネクタハウジングの端子収容室に誤った端子金具を挿入することを抑制できる。
【００９３】
請求項４に記載の本発明によれば、照射手段が端子収容室の開口部を照らすので、端子収容室が狭くなっても、作業員が照射手段により照らされた開口部を確実に視認できる。即ち、作業員が、端子金具を挿入すべき端子収容室を認識できる。
【００９４】
また、切り換え手段が、端子金具を端子収容室に挿入する順番に応じて、表示手段が表示する電線収容部と、照射手段が照らす開口部とを切り換える。このため、表示手段により表示された電線収容部に収容された電線を取り付けた端子金具を、開口部が照らされた端子収容室に順に挿入していくことにより、誤りなく所望の端子収容室に所望の端子金具を挿入できる。したがって、コネクタハウジングの端子収容室に誤った端子金具を挿入することを抑制できる。
【００９５】
請求項５に記載の本発明によれば、照射手段と治具本体との相対的な位置に基づいて、照射手段が端子収容室の開口部を照らす。このため、表示手段により表示された電線収容部に収容された電線を取り付けた端子金具を、開口部が照らされた端子収容室に順に挿入していくことにより、端子収容室列を複数備えたコネクタハウジングにも誤りなく端子収容室に端子金具を確実に挿入できる。したがって、コネクタハウジングの端子収容室に誤った端子金具を挿入することを抑制できる。
【００９６】
請求項６に記載の本発明によれば、コネクタハウジングを保持する保持部材が治具本体に着脱自在である。このため、コネクタハウジングを保持する保持部材を複数用意して、これらの保持部材から任意の保持部材を選択して、治具本体に取り付けることができる。したがって、コネクタハウジングの品番が変更されても、該コネクタハウジングの端子収容室に誤った端子金具を挿入することを抑制できる。
【００９７】
請求項７に記載の本発明によれば、入力手段が、切り換え手段に表示手段が表示する電線収容部と、照射手段が照らす開口部とを入力する。このため、入力手段が入力する電線収容部と開口部を変更することにより、容易に複数の品番のコネクタハウジングの端子収容室に所望の端子金具を確実に挿入できる。したがって、コネクタハウジングの品番が変更されても、該コネクタハウジングの端子収容室に誤った端子金具を挿入することを抑制できる。
【００９８】
請求項８に記載の本発明によれば、端子収容室の開口部を照らして、端子金具を挿入する端子収容室を順に示すため、端子収容室が狭くなっても、作業員が、照らされた開口部を確実に視認できる。即ち、作業員が、端子金具を挿入すべき端子収容室を認識できる。したがって、開口部が照らされた端子収容室に順に端子金具を挿入していくことにより、コネクタハウジングの端子収容室に誤った端子金具を挿入することを抑制できる。
【００９９】
請求項９に記載の本発明によれば、端子収容室の開口部を照らして、端子金具を挿入する端子収容室を順に示すため、端子収容室が狭くなっても、作業員が、照らされた開口部を確実に視認できる。即ち、作業員が、端子金具を挿入すべき端子収容室を認識できる。
【０１００】
また、端子金具を端子収容室に挿入する順番に応じて、表示される電線収容部と照らされる開口部とを切り換える。このため、表示された電線収容部に収容された電線を取り付けた端子金具を、開口部が照らされた端子収容室に順に挿入していくことにより、コネクタハウジングの端子収容室に誤った端子金具を挿入することを抑制できる。
【図面の簡単な説明】
【図１】本発明の一実施形態に係る端子金具の誘導装置としてのサブハーネス組立装置の構成を示す説明図である。
【図２】図１に示されたサブハーネス組立装置の要部の構成を示す説明図である。
【図３】図１に示されたサブハーネス組立装置のコネクタ保持治具を示す斜視図である。
【図４】図３に示されたコネクタ保持治具にコネクタハウジングを取り付けた状態を示す斜視図である。
【図５】図４中のＶ−Ｖ線に沿う断面図である。
【図６】図５に示されたコネクタ保持治具の照射部が第１の位置に位置付けられた状態を示す断面図である。
【図７】図６に示されたコネクタ保持治具の照射部が第２の位置に位置付けられた状態を示す断面図である。
【図８】図７中の矢印ＶＩＩ１からみたコネクタ保持治具の一部の平面図である。
【図９】図６中の矢印１Ｘからみたコネクタ保持治具の一部の平面図である。
【図１０】図５に示されたコネクタ保持治具の照射部が第２の位置に位置付けられた状態を一部断面にして示す側面図である。
【図１１】図５に示されたコネクタ保持治具の照射部が第１の位置に位置付けられた状態を一部断面にして示す側面図である。
【図１２】図１１に示されたコネクタ保持治具の他の一部を断面にして示す側面図である。
【図１３】図５に示されたコネクタ保持治具の照射部が開放位置に位置付けられた状態を一部断面にして示す側面図である。
【図１４】図１に示されたサブハーネス組立装置のコントロールボックスの平面図である。
【図１５】図２に示されたサブハーネス組立装置の表示部の一つのＬＥＤが点灯した状態を示す説明図である。
【図１６】図８に示されたコネクタ保持治具に保持されたコネクタハウジングの一つの端子収容室の開口部が照らされた状態を示す説明図である。
【符号の説明】
１  サブハーネス組立装置（端子金具の誘導装置）
２  端子金具
３  コネクタハウジング
３ａ  外表面
４  端子収容室
４ａ  開口部
９  電線
１３  端子収容室列
１３ａ  第１の端子収容室列
１３ｂ  第２の端子収容室列
２０  電線収容棚
２１  コネクタ保持治具
２３  表示部切り換え装置（切り換え手段）
２４  コントロールボックス（入力手段）
２５  切り換えスイッチ（切り換え手段）
２７  電線収容筒（電線収容部）
３２  ＬＥＤ（表示手段）
３３  治具本体
３５  レバー
４３  保持部材
４７  照射ユニット（照射手段）
１００  端子挿入治具
【図１】
2004227857.tif 000003
【図２】
2004227857.tif 000004
【図３】
2004227857.tif 000005
【図４】
2004227857.tif 000006
【図５】
2004227857.tif 000007
【図６】
2004227857.tif 000008
【図７】
2004227857.tif 000009
【図８】
2004227857.tif 000010
【図９】
2004227857.tif 000011
【図１０】
2004227857.tif 000012
【図１１】
2004227857.tif 000013
【図１２】
2004227857.tif 000014
【図１３】
2004227857.tif 000015
【図１４】
2004227857.tif 000016
【図１５】
2004227857.tif 000017
【図１６】
2004227857.tif 000018